(57)【要約】      （修正有）【課題】ガンタイプの一液型圧力容器又はアダプタータイプの一液型圧力容器に対して使用が可能で、かつ作業者の装着が簡単、確実で、安心して使用できる安価な一液型ポリウレタンフォーム圧力容器用ディスペンシングアダプターを提供する。【解決手段】一液型ポリウレタンフォーム圧力容器用ディスペンシングアダプター１は、アダプター連結具Ｂに連結し、圧力容器の軸心方向と斜め上方に向けて形成された挿入管６及び、該挿入管６の先端部に装着する排出管を備えたディスペンシングアダプター本体と、左右方向に張り出した作動レバー５と、該作動レバー５の端部に前記排出管の先端部を一時的に封止する封止栓１４を設けたことを特徴とする一液型ポリウレタンフォーム圧力容器用ディスペンシングアダプター。【選択図】図１
2014172041.tif 000002
【特許請求の範囲】
【請求項１】
一液型ポリウレタンフォーム圧力容器先端部の中心部にポリウレタンフォーム発泡剤液を圧力ガスとともに外部に噴出させる鍔付き発泡剤液通路用円筒部の外周面に配設した鍔部を有する筒状弾性体と該筒状弾性体の下端面を塞ぐ弁体で密閉され、使用時にディスペンシングアダプターを介して該筒状弾性体を変形させて弁体が解放され外部にポリウレタンフォーム発泡剤液を泡状に噴出させる通路が確保される構造のアダプター連結具と着脱自在に連結する一液型ポリウレタンフォーム圧力容器用ディスペンシングアダプターにおいて、該一液型ポリウレタンフォーム圧力容器用ディスペンシングアダプターは前記アダプター連結具に連結し、前記ポリウレタンフォーム発泡剤液を前記圧力容器の軸心方向と斜め上方に向けて形成された挿入管及び該挿入管の先端部に装着する排出管を備えたディスペンシングアダプター本体と、垂直方向に起立するディスペンシングアダプター本体の左右方向に張り出した作動レバーと、該作動レバーの端部又は作動レバーの延長上に設けた延長作動レバーの端部に前記排出管の先端部を一時的に封止する封止栓を設けたことを特徴とする一液型ポリウレタンフォーム圧力容器用ディスペンシングアダプター。
【請求項２】
請求項１記載の一液型ポリウレタンフォーム圧力容器の先端部中心部に設置したアダプター連結具と連結する一液型ポリウレタンフォーム圧力容器用ディスペンシングアダプターは、全体が熱可塑性樹脂で形成され、前記鍔付き発泡剤液通路用円筒部内に嵌合され、かつ前記アダプター連結具のスカート状のフランジの裾部から内側の中心部に向けて張り出した複数の係合突起により係合するとともにディスペンシングアダプター本体の左右方向に張り出した一方にディスペンシングアダプターのハンガー部を備えていることを特徴とする請求項１記載の一液型ポリウレタンフォーム圧力容器用ディスペンシングアダプター。
【請求項３】
請求項１記載の熱可塑性樹脂からなる一液型ポリウレタンフォーム圧力容器用ディスペンシングアダプターにおいて、該ディスペンシングアダプターの作動レバーの端部に設けた支え球状突起と、該支え球状突起を支点として外側から回動自在に嵌合する突起受容部１１と、該ディスペンシングアダプターの端部に膜ヒンジを介して連椄した延長作動レバー部を備え、かつ該延長作動レバー部の端部に前記排出管の先端部を塞ぐ封止栓を備えていることを特徴とする請求項１記載の一液型ポリウレタンフォーム圧力容器用ディスペンシングアダプター。
【請求項４】
請求項１記載の熱可塑性樹脂からなる一液型ポリウレタンフォーム圧力容器内の発泡剤液が一回限りの使い切りタイプに適用されるポリウレタンフォーム圧力容器用ディスペンシングアダプターであって、該一液型ポリウレタンフォーム圧力容器の先端部中心部に設置したアダプター連結具はポリウレタンフォーム発泡剤液を外部に噴出させる液体通路を囲む排出管の外周面に螺子部を形成し、該排出管の螺子部と螺合し垂直方向に起立し、上部が斜め上方に傾斜する円筒状の発泡剤液通路を備え、その円筒状の発泡剤液通路の延長上に排出管を一体に形成したアダプター本体の途中から左右に分岐する一方に作動レバーを形成し、該作動レバーの端部に前記排出管の先端部を塞ぐ封止栓備えていることを特徴とする請求項１記載の一液型ポリウレタンフォーム圧力容器用ディスペンシングアダプター。
【請求項５】
請求項１記載の熱可塑性樹脂からなる一液型ポリウレタンフォーム圧力容器内の発泡剤液が一回限りの使い切りタイプに適用されるポリウレタンフォーム圧力容器用ディスペンシングアダプターは熱可塑性樹脂で形成され、かつ作動レバー及び延長作動レバーのそれぞれがトラス構造に形成したことを特徴とする請求項１記載の一液型ポリウレタンフォーム圧力容器用ディスペンシングアダプター。
【発明の詳細な説明】
【技術分野】
【０００１】
一般に、一液型ポリウレタンフォーム液を充填した圧力容器の販売として付属品であるアダプターを装着したアダプタータイプと、付属品の装着が無いスプレーガンタイプとがある。スプレーガンタイプは別途、高価なスプレーガンを購入して使用する必要がある。この発明は、スプレーガンタイプに対しては高価なスプレーガンを購入することなく簡便で、かつ安価なアダプターを採用して目的の施工箇所にポリウレタンフォームを迅速、確実に噴出させて施工作業をすることができる。また、本発明は一回で使い切りタイプの一液型ポリウレタンフォーム液を充填した圧力容器に接続するアダプタータイプに対しても簡単で確実に装着ができ、どの方向に対してもポリウレタンフォームを噴出できる安全性の高い一液型ポリウレタンフォーム圧力容器用ディスペンシングアダプターに関する。
【背景技術】
【０００２】
従来の二液混合式携帯用スプレーガンとして、ノズルの後部に混合部を設け、その混合部と流体で連絡する二個のバルブユニットを混合部の後方に配置し、その二個のバルブユニットの後端部にそれぞれ第１液用可撓管と第２液用可撓管を接続させ、それら可撓管の他端をそれぞれの給液用加圧容器に接続させ、前記バルブユニットのバルブの開閉により二液が同時に供給されて、混合部で二液混合をなし、その混合物をノズルから噴出し得る二液混合式携帯用スプレーガンがある（特許文献１）。
【先行技術文献】
【特許文献】
【０００３】
【特許文献１】特開２０００―１４０７１７号公報
【０００４】
前記特許文献１の発明は、２個のバルブユニットとして２個のエアゾールバルブを使用することによって二液混合式携帯用スプレーガンを従来よりも比較的小さな力で作動させることができ、その操作性を向上させる効果がある。しかし、この特許文献１のスプレーガンも比較的高価であるために一般素人が使用するのは稀である。
【０００５】
ポリウレタンフォームは建築物等多様な分野で断熱、防音、隙間等に対する内部充填、密封などを目的として広く使用される。ポリウレタンフォームは高圧ガスと一緒に圧力容器に充填され消費者、業者等に提供される。
【０００６】
一液型ポリウレタンフォームが充填された圧力容器はアダプタータイプ（ａｄａｐｔｅｒ  ｔｙｐｅ）とガンタイプ（ｇｕｎ  ｔｙｐｅ）として販売されている。アダプタータイプは一回の使い切り用アダプターを一液型ポリウレタンフォームが充填された圧力容器の吐出部先端部に装着して使用されるのに対し、ガンタイプはアダプタータイプより比較的価額が高い発泡剤液の噴出用ガンを圧力容器の吐出部先端部に装着して使用される。
【０００７】
ガンタイプはアダプタータイプよりも圧力容器に収納される発泡剤液の容量が大きく、価格も高いため、専門家ではない一般人がガンを購入することは稀であり、ガンタイプを購入するのはコスト面でも負担になる。また、一般人はガンタイプの使用には操作上において多少の難しさを感じる恐れがあるため、ガンタイプより一回で使い切るタイプであるアダプタータイプを使用するのが通常であるが、施工箇所にポリウレタンフォームを多量に使用する場合は圧力容器内に充填されている発泡液の容量が少ないアダプタータイプの使用は何本も購入する必要があり不経済となる場合もある。
【０００８】
一方、専門家にとってもポリウレタンフォームを噴射する場所や位置によってはガンタイプより一回で使い切るアダプターを使用するのが便利なケースもある。
【発明の概要】
【発明が解決しようとする課題】
【０００９】
本発明はガンタイプ（ｇｕｎ  ｔｙｐｅ）の一液型圧力容器又はアダプタータイプの一液型圧力容器に対して使用が可能で、かつ作業者の装着が簡単、確実で、安心して使用できる安価な一液型ポリウレタンフォーム圧力容器用ディスペンシングアダプターを提供することにある。
【課題を解決するための手段】
【００１０】
本発明は、一液型ポリウレタンフォーム圧力容器の先端部の中心部にポリウレタンフォーム発泡剤液を圧力ガスとともに外部に噴出させるフランジ付き発泡剤液通路用円筒部の外周面に配設したフランジを有する筒状弾性体と該筒状弾性体の下端面を塞ぐ独楽状の封止栓で密閉され、使用時にディスペンシングアダプターを介して該筒状弾性体を変形させて独楽状の封止栓が解放され外部にポリウレタンフォーム発泡剤液を泡状に噴出させる通路が確保される構造のアダプター連結具と着脱自在に連結する一液型ポリウレタンフォーム圧力容器用ディスペンシングアダプターにおいて、該一液型ポリウレタンフォーム圧力容器用ディスペンシングアダプターは前記アダプター連結具に連結し、前記ポリウレタンフォーム発泡剤液を前記圧力容器の軸心方向と斜め上方に向けて形成された挿入管及び該挿入管の先端部に装着する排出管を備えたディスペンシングアダプター本体と、垂直方向に起立するディスペンシングアダプター本体の左右方向の一方に張り出した作動レバーと、該作動レバーの端部又は作動レバーの延長上に設けた延長作動レバーの端部に前記排出管の先端部を一時的に封止する封止栓を設けたことを特徴とする一液型ポリウレタンフォーム圧力容器用ディスペンシングアダプター。
【００１１】
請求項１記載の一液型ポリウレタンフォーム圧力容器の先端部中心部に設置したアダプター連結具と連結する一液型ポリウレタンフォーム圧力容器用ディスペンシングアダプターは、全体が熱可塑性樹脂で形成され、前記フランジ付き発泡剤液通路用円筒部内に嵌合され、かつ前記アダプター連結具のスカート状のフランジの裾部から内側の中心部に向けて張り出した複数の係合突起により係合するとともにディスペンシングアダプター本体の左右方向の一方に張り出した一方にディスペンシングアダプターのハンガー部を備えていることを特徴とする。
【００１２】
請求項１記載の熱可塑性樹脂からなる一液型ポリウレタンフォーム圧力容器用ディスペンシングアダプターにおいて、該ディスペンシングアダプターの作動レバーの端部に設けた支え球状突起と、該支え球状突起を支点として外側から回動自在に嵌合する突起受容部と、該ディスペンシングアダプターの端部に膜ヒンジを介して連椄した延長作動レバー部を備え、かつ該延長作動レバー部の端部に前記排出管の先端部を塞ぐ封止栓備えていることを特徴とする。
【００１３】
請求項１記載の熱可塑性樹脂からなる一液型ポリウレタンフォーム圧力容器内の発泡剤液が一回限りの使い切りタイプに適用される一液型ポリウレタンフォーム圧力容器用ディスペンシングアダプターであって、該一液型ポリウレタンフォーム圧力容器の先端部中心部に設置したアダプター連結具はポリウレタンフォーム発泡剤液を外部に噴出させる液体通路を囲む排出管の外周面に螺子部を形成し、該排出管の螺子部と螺合し垂直方向に起立し、上部が斜め上方に傾斜する円筒状の発泡剤液通路を備え、その円筒状の発泡剤液通路の延長上に排出管を接続したディスペンシングアダプター本体の途中から左右に分岐する一方に作動レバーを形成し、該作動レバーの端部に前記排出管の先端部を塞ぐ封止栓を備えていることを特徴とする。
【００１４】
請求項１記載の熱可塑性樹脂からなる一液型ポリウレタンフォーム圧力容器内の発泡剤液が一回限りの使い切りタイプに適用される一液型ポリウレタンフォーム圧力容器用ディスペンシングアダプターは熱可塑性樹脂で形成され、かつ作動レバー及び延長作動レバーのそれぞれがトラス構造に形成したことを特徴とする。
【発明の効果】
【００１５】
本発明は、一液型ポリウレタンフォーム圧力容器の先端部の中心部に一液型ポリウレタンフォーム発泡剤液を圧力ガスとともに外部に噴出させる通路の下部が独楽状の封止栓で密閉され、使用時にディスペンシングアダプターを介して該封止栓を変形させて外部にポリウレタンフォーム発泡剤液を噴出させる通路が確保される構造のアダプター連結具と着脱自在に連結するポリウレタンフォーム圧力容器用ディスペンシングアダプターにおいて、該ポリウレタンフォーム圧力容器用ディスペンシングアダプターは前記アダプター連結具に連結し前記ポリウレタンフォーム発泡剤液を前記圧力容器の軸心方向から斜め上方に向けて通過させる挿入管及び該挿入管の先端部に装着する排出管を備えたディスペンシングアダプター本体と、垂直方向に起立するディスペンシングアダプター本体の左右方向に分岐する片側に設けた作動レバーと、前記排出管の先端部を一時的に封止する封止栓を作動レバーの端部に備えたので、ポリウレタンフォーム圧力容器用ディスペンシングアダプターはアダプター連結具との装着が簡単で確実に装着でき、安心してポリウレタンフォーム発泡剤液を施工箇所に噴射させて充填することができる。ポリウレタンフォーム発泡剤液の噴射作業を中断する場合にも、排出管の先端部に封止栓を差し込むことにより、搬出管等に残存しているポリウレタン発泡剤液が硬化することなく、中断後引き続き作業を行うにも何ら問題なく、作業を続行できる。
【００１６】
一液型ポリウレタンフォーム圧力容器用ディスペンシングアダプターは、全体が熱可塑性樹脂で形成され、かつ一液型ポリウレタンフォーム圧力容器の先端部中心部に設置したアダプター連結具の先端部中央に起立する発泡剤液通路用円筒部内に嵌合する挿入管と、該挿入管の下部側周囲に前記アダプター連結具の斜め下方に傾斜するフランジ外周面に圧椄し、前記ディスペンシングアダプター側の斜め下方に傾斜するフランジの下端部の内側から中心部に向けて張り出した複数の係合突起に係合する構成としたので、アダプター連結具とディスペンシングアダプターとの着脱操作が容易で、かつ確実に脱着操作が行われ、安心して作業を行うことができる。
【００１７】
また、本発明はディスペンシングアダプターの作動レバーの端部に設けた支え突起と、該支え突起を支点として外側から回動自在に嵌合する突起受容部と、該ディスペンシングアダプターの端部に膜ヒンジを介して連椄した延長レバー部を備えたので、作動レバーと延長レバー部によるモーメントが大きくなり、小さな力で排出管から一液型ポリウレタンフォーム発泡剤液を噴出させることができる。
また、延長レバーの形成により、一液型ポリウレタンフォーム発泡剤液の噴出作業を中断させる場合でも、延長レバーの端部に形成した封止突起を排出管の先端部に近づけて封止出来るので、封止作業が一層容易となり、封止を解除して作業を続行するのもスムーズに行われる。
【００１８】
一液型ポリウレタンフォーム圧力容器内の発泡剤液が一回限りの使い切りタイプに適用されるポリウレタンフォーム圧力容器用ディスペンシングアダプターの場合においては、該一液型ポリウレタンフォーム圧力容器は先端部中心部に設置したアダプター連結具はポリウレタンフォーム発泡剤液を外部に噴出させる通路を囲む排出管の外周面に螺子部を形成し、該排出管の螺子部と螺合し垂直方向に起立する円筒状の発泡剤液通路を備えることにより、アダプター連結具とディスペンシングアダプターとの連結が螺合により行われるので、連結部が一層強固に連結され、安心して施工箇所にポリウレタンフォーム発泡剤液の噴出させることができる。さらに、作動レバー及び又は延長作動レバーを合成樹脂によるトラス構造とすることにより一層の軽量化を図ると共に剛構造であるために安全に使用できる。
【図面の簡単な説明】
【００１９】
【図１】本発明の第１実施例に係るガンタイプ用のディスペンシングアダプターの正面図である。
【図２】本発明の第１実施例に係るガンタイプ用のディスペンシングアダプターをガンタイプ用の一液型ポリウレタンフォーム圧力容器のアダプター連結具に装着した状態を示す正面図である。
【図３】本発明の第１実施例に係るガンタイプ用のディスペンシングアダプターの断面図である。
【図４】本発明の第１実施例に係るガンタイプ用のディスペンシングアダプターをガンタイプ用の一液型ポリウレタンフォーム圧力容器のアダプター連結具に装着した状態を示す要部断面図である。
【図５】本発明の第１実施例に係るガンタイプ用のディスペンシングアダプターを装着したガンタイプ用の一液型ポリウレタンフォーム圧力容器の使用状態を示す要部断面図である。
【００２０】
【図６】本発明の第１実施例に係るガンタイプ用のディスペンシングアダプターをガンタイプ用の一液型ポリウレタンフォーム圧力容器のアダプター連結具に装着するための係合フランジ構造を示す底面図である。
【図７】本発明の第２実施例に係るガンタイプ用のディスペンシングアダプターの断面図である。
【図８】本発明の第２実施例に係るガンタイプ用のディスペンシングアダプターをガンタイプ用の一液型ポリウレタンフォーム圧力容器のアダプター連結具に装着した状態を示す要部断面図である。
【図９】本発明の第２実施例に係るガンタイプ用のディスペンシングアダプターをガンタイプ用の一液型ポリウレタンフォーム圧力容器のアダプター連結具に装着し、かつハンガー部をガン取付け部の水平突出片の取付け孔に取付けた状態を示す要部断面図である。
【図１０】本発明の第３実施例に係るガンタイプ用のディスペンシングアダプターの断面図である。
【００２１】
【図１１】本発明の第３実施例に係るガンタイプ用のディスペンシングアダプターをガンタイプ用の一液型ポリウレタンフォーム圧力容器のアダプター連結具に装着した状態を示す要部断面図である。
【図１２】本発明の第４実施例に係るガンタイプ用のディスペンシングアダプターの断面図である。
【図１３】本発明の第４実施例に係るガンタイプ用のディスペンシングアダプターをガンタイプ用の一液型ポリウレタンフォーム圧力容器のアダプター連結具に装着した状態を示す要部断面図及びＡ−Ａ線断面図である。
【図１４】本発明の第５実施例に係る一回使い切り用の一液型ポリウレタンフォーム圧力容器のアダプター連結具に装着した状態を示す要部断面図である。
【図１５】本発明の第５実施例に係る一回で使い切りのアダプタータイプの一液型ポリウレタンフォーム液を充填した圧力容器に接続した一液型ポリウレタンフォーム圧力容器用ディスペンシングアダプターの使用状態を示す要部断面図である。
【００２２】
【図１６】本発明の第６実施例に係る一回で使い切りのアダプタータイプ用のディスペンシングアダプターの断面図である。
【図１７】本発明の第６実施例に係る一回で使い切りのアダプタータイプ用のディスペンシングアダプターをアダプタータイプ用の一液型ポリウレタンフォーム圧力容器のアダプター連結具に装着した状態を示す要部断面図である。
【図１８】本発明の第７実施例に係る一回で使い切りのアダプタータイプ用のディスペンシングアダプターの正面図である。
【図１９】本発明の第７実施例に係る一回で使い切りのアダプタータイプ用のディスペンシングアダプターをアダプタータイプ用の一液型ポリウレタンフォーム圧力容器のアダプター連結具に装着した状態を示す正面図である。
【発明を実施するための形態】
【００２３】
以下、本発明の一実施例を図面に基づいて説明する。
図１は本発明の第１実施例に係るガンタイプ用のディスペンシングアダプターの正面図である。
図２は本発明の第１実施例に係るガンタイプ用のディスペンシングアダプターをガンタイプ用の一液型ポリウレタンフォーム圧力容器のアダプター連結具に装着した状態を示す正面図である。
１はディスペンシングアダプターで、本実施例ではポリエチレン、ポリプロピレン、ポリスチレン、塩化ビニル樹脂、ＡＢＳ樹脂、エンジニアリングプラスチック等による熱可塑性樹脂を使用した場合を示したが、これに限定されるものではなく、打ち抜き加工が可能な金属材料であっても良い。しかし、使い捨ての観点からは、ポリエチレンや塩化ビニル樹脂等の熱可塑性樹脂が好適である。
【００２４】
ディスペンシングアダプター1はガンタイプとアダプタータイプがあるが、図１及び図２ではガンタイプの場合を示す。図１及び図２に示すディスペンシングアダプター1はポリエチレン、塩化ビニル樹脂等の熱可塑性樹脂により射出成型機により一体に形成される。ディスペンシングアダプター1は一液型ポリウレタンフォーム圧力容器Ａの先端部軸心方向に設置したアダプター連結具Ｂ（図４参照）の液体通路Ｃの内壁に沿って挿し込まれ、かつアダプター連結具Ｂの上側の途中から斜め下方に張り出したフランジＤに沿って嵌合するフランジ３を有し、フランジ３の下端部内方に向けて突出する係合部４が斜め下方に張り出したフランジＤの下端に係止する。フランジ３の係合部４は熱可塑性樹脂であるために係合を解除する時には上に引っ張ると変形して係合が解除され、係合解除後は係合部４が旧位に復帰する。図３はガンタイプ用のディスペンシングアダプターの要部断面図、図４はガンタイプ用の一液型ポリウレタンフォーム圧力容器Ａのアダプター連結具Ｂに装着した状態を示す要部断面図である。図中、Ｅは独楽状の封止栓であり、液体通路Ｃの下端及びゴム弾性の筒状体Ｆの下端とは分離した状態であるが、常時は一液型ポリウレタンフォーム圧力容器Ａの圧力ガスによって弾圧されて液体通路Ｃは塞がれている。しかし、ディスペンシングアダプター1の作動レバー５を下方に押し下げることにより、ゴム弾性の筒状体Ｆが変形し、液体通路Ｃの下端及びゴム弾性の筒状体Ｆの下端面と独楽状の封止栓Ｅの一部が離反状態となり、この空隙から発泡剤液が液体通路Ｃ及びディスペンシングアダプター１の液体通路２、挿入管６及び排出管７を通過して施工箇所に向けて一液型ポリウレタン発泡剤液が泡となって噴射される（図５参照）。図６は第１実施例に係るガンタイプ用のディスペンシングアダプター１をガンタイプ用の一液型ポリウレタンフォーム圧力容器Ａのアダプター連結具Ｂに装着するためのディスペンシングアダプター１の下部に設けたフランジ３の内側に形成した係合部３を３箇所設けた場合を示す拡大底面図である。係合部３の個数は本例に限定されるものではない。
【００２５】
図７は本発明の第２実施例に係るガンタイプ用のディスペンシングアダプター１の断面図である。基本的には第１実施例のディスペンシングアダプター１の構造と共通であるが、相違する点は第２実施例ではフランジ３の形状ではなく、基部が狭い略円筒形状の筒体８であり、その略円筒形状の筒体８の内周面の適所に所定間隔をおいて係合突起９を形成した点が異なる。この係合突起９とアダプター連結具Ｂとが着脱自在な係合関係となる。
【００２６】
図８は本発明の第２実施例に係るガンタイプ用のディスペンシングアダプター１をガンタイプ用の一液型ポリウレタンフォーム圧力容器Ａのアダプター連結具Ｂに装着した状態を示す断面図である。図９は第２実施例に係るガンタイプ用のディスペンシングアダプター１をガンタイプ用の一液型ポリウレタンフォーム圧力容器Ａのアダプター連結具Ｂに装着し、かつハンガー部１０をガン取付け部Ｈの略水平突出片Ｉの取付け孔Ｌに取付けた状態を示す要部断面図である。
【００２７】
図１０は本発明の第３実施例に係るガンタイプ用のディスペンシングアダプター１の断面図である。図１１は第３実施例に係るガンタイプ用のディスペンシングアダプター１をガンタイプ用の一液型ポリウレタンフォーム圧力容器Ａのアダプター連結具Ｂに装着した状態を示す要部断面図である。実施例１及び２との相違点は、略円筒形状の筒体８の下端部外周の複数箇所に所定間隔をおいて係合突起９を形成してディスペンシングアダプター１が一液型ポリウレタンフォーム圧力容器Ａのアダプター連結具Ｂとの係合状態を一層強固にするための構造である。
【００２８】
図１２は本発明の第４実施例に係るガンタイプ用のディスペンシングアダプター１の断面図である。図１３は第４実施例に係るガンタイプ用のディスペンシングアダプター１をガンタイプ用の一液型ポリウレタンフォーム圧力容器Ａのアダプター連結具Ｂに装着した状態を示す断面図及びＡ−Ａ線断面図である。第４実施例はガンタイプ用のディスペンシングアダプター１とガンタイプ用の一液型ポリウレタンフォーム圧力容器Ａのアダプター連結具Ｂとの連結をより強固にするための構造であり、一液型ポリウレタンフォームの発泡作業中にディスペンシングアダプター１が外れないようにして、安心して作業ができるようにしたものである。
【００２９】
図１４は本発明の第５実施例に係る一回使い切り用の一液型ポリウレタンフォーム圧力容器のアダプター連結具Ｂに装着した状態を示す要部断面図であり、図１５は第５実施例に係る一回で使い切りのアダプタータイプの一液型ポリウレタンフォーム圧力容器Ａに接続した一液型ポリウレタンフォーム圧力容器用のディスペンシングアダプター１の使用状態を示す断面図である。
アダプタータイプがガンタイプと相違する点は、一液型ポリウレタンフォーム圧力容器Ａの容器の容量に差が有り、アダプタータイプは一回限りの使用が原則であるのに対し、ガンタイプはポリウレタンフォーム発泡剤液の容量が大きいためにアダプター連結具Ｂとディスペンシングアダプター１との接続箇所の構造が異なり、具体的にはガンタイプではガンと接続するための螺子Ｊが形成されているのに対し、アダプタータイプでは螺子が形成されていない。
【００３０】
一回限りの使い切りタイプに適用されるポリウレタンフォーム圧力容器用ディスペンシングアダプター１においては、一液型ポリウレタンフォーム圧力容器Ａの先端部中心部に設置したアダプター連結具Ｂはポリウレタンフォーム発泡剤液を外部に噴出させる液体通路Ｃの外周面に螺子部Ｋが形成されている。この螺子部Ｋと螺合し垂直方向に起立する円筒状の液体通路２を備える。その液体通路２の延長上に排出管７を形成してなるアダプター本体１ａはその途中から左右に分岐する一方に作動レバー５を形成するとともに作動レバー５の端末には球状の係合突起１８を形成する。さらに球状係合突起１８の球面に沿って嵌合する突起受容部１１を形成するとともに作動レバー５の端部に膜ヒンジ１２を介して延長作動レバー１３を形成する。延長作動レバー１３の端部には排出管７の先端部を塞ぐ封止栓１４が熱可塑性樹脂で一体に形成される。このように、延長作動レバー１３を形成することにより排出管７から噴出させるときの回動モーメントが大きくなる結果、少ない力で作動できる。ポリウレタンフォーム圧力容器用のディスペンシングアダプター１の内壁には成形と同時に螺子１５が刻設される。ディスペンシングアダプター１とアダプター連結具Ｂとの接続はアダプター連結具Ｂの液体通路Ｃの外周面に形成した雄螺子Ｋとディスペンシングアダプター１の挿入管６の内周面に形成した雌螺子１５の螺合により行われる。
【００３１】
図１６は本発明の第６実施例に係る一回で使い切りのアダプタータイプ用のディスペンシングアダプター１の断面図で、図１７は第６実施例に係る一回で使い切りのアダプタータイプ用のディスペンシングアダプター１をアダプタータイプ用の一液型ポリウレタンフォーム圧力容器Ａのアダプター連結具Ｂに装着した状態を示す要部断面図である。第５実施例と第６実施例との相違は、第５実施例がディスペンシングアダプター１の液体通路２の下端部が傘状に広がる下端を垂直の短い円筒部１６に形成しているのに対し、第６実施例では垂直の円筒部が長い円筒部１７に形成されている点で異なる。円筒部を長めに形成した方が接続部での安定性が増すことになる。
【００３２】
図１８は本発明の第７実施例に係る一回で使い切りのアダプタータイプ用のディスペンシングアダプターの正面図で、図１９は第７実施例に係る一回で使い切りのアダプタータイプ用のディスペンシングアダプターをアダプタータイプ用の一液型ポリウレタンフォーム圧力容器のアダプター連結具に装着した状態を示す正面図である。
第７実施例はディスペンシングアダプター１の作動レバー５及び延長作動レバー１３の軽量化を図りながら強度を維持し、熱可塑性樹脂によるトラス構造１９に形成したものである。
【産業上の利用可能性】
【００３３】
本発明は一液型ポリウレタンフォーム圧力容器に簡易構造のディスペンシングアダプターを装着してポリウレタンフォーム発泡剤液を家庭用、業務用として各種構築物の目地等の施工箇所に噴射させて使用するものであり、建築物や土木構造物等において、少し間隔を空けた部材間の隙間・継ぎ目の部分や部屋の隙間部分の充填、パネル間の隙間の充填、配管部分の断熱固定、補修、配線の固定等の各種用途に使用され、家庭用及び業務用としても手軽に、簡単で、かつ安全に操作できるディスペンシングアダプターであり、一般家庭用、業務用等として広く産業間に利用される。
【符号の説明】
【００３４】
１      ディスペンシングアダプター
１ａ    ディスペンシングアダプター本体
２      液体通路
３      フランジ
４      係合部
５      作動レバー
６      挿入管
７      排出管
８      略円筒形状の筒体
９      係合突起
１０    ハンガー部
１１    突起受容部
１２    膜ヒンジ
１３    延長作動レバー
１４    封止栓
１５    螺子
１６    短い円筒部
１７    長い円筒部
１８    球状係合突起
１９    トラス構造
Ａ      一液型ポリウレタンフォーム圧力容器
Ｂ      アダプター連結具
Ｃ      液体通路
Ｄ      斜め下方に張り出したフランジ
Ｅ      独楽状の封止栓
Ｆ      ゴム弾性の筒状体
Ｈ      ガン取付け部
Ｉ      略水平突起
Ｊ      螺子
Ｋ      雄螺子
Ｌ      取付け孔
【図１】
2014172041.tif 000003
【図２】
2014172041.tif 000004
【図３】
2014172041.tif 000005
【図４】
2014172041.tif 000006
【図５】
2014172041.tif 000007
【図６】
2014172041.tif 000008
【図７】
2014172041.tif 000009
【図８】
2014172041.tif 000010
【図９】
2014172041.tif 000011
【図１０】
2014172041.tif 000012
【図１１】
2014172041.tif 000013
【図１２】
2014172041.tif 000014
【図１３】
2014172041.tif 000015
【図１４】
2014172041.tif 000016
【図１５】
2014172041.tif 000017
【図１６】
2014172041.tif 000018
【図１７】
2014172041.tif 000019
【図１８】
2014172041.tif 000020
【図１９】
2014172041.tif 000021